(57)【要約】【課題】厚みのある素子を用いてフィルムアンテナの共振点を調整することが可能なフィルムアンテナを提供すること。【解決手段】複数周からなるループ状のアンテナ線１２を含むフィルムアンテナ６は、ガラス面５に沿って上部の摺動領域と下部の非摺動領域とに細分化され、アンテナ線１２の交差部分が非摺動領域に設定されている。その交差部分を規定する上下方向のアンテナ線１２は当該交差部分を跨ぐ位置で分断されてその分断箇所がチップコンデンサ１３で置き換えられている。つまり、分断箇所の上側のアンテナ線１２の端部がチップコンデンサ１３の第１電極に接続されるとともに、分断箇所の下側のアンテナ線１２の端部がチップコンデンサ１３の第２電極に接続されている。交差部分を規定する左右方向のアンテナ線１２は上下方向のアンテナ線１２と同一面でチップコンデンサ１３の下を通されている。【選択図】図２
2015177236.tif 000002
【特許請求の範囲】
【請求項１】
母体の摺動面に取り付けるフィルムアンテナにおいて、
ループ状のアンテナが母体の摺動面に沿って摺動領域と非摺動領域とに細分化され、非摺動領域には、摺動領域に設定されるアンテナ部品よりも厚みの厚いアンテナ部品が設定される
ことを特徴とするフィルムアンテナ。
【請求項２】
複数周からなるループ状のアンテナの交差部分が非摺動領域に設定され、その交差部分を規定する一方のアンテナが当該交差部分を跨ぐ位置で分断されてその分断箇所がチップ部品に置き換えられるとともに、他方のアンテナが前記一方のアンテナと同一面で前記チップ部品の下を通される
請求項１に記載のフィルムアンテナ。
【請求項３】
チップ部品の全てが前記非摺動領域に配置される
請求項１又は２に記載のフィルムアンテナ。
【請求項４】
母体の摺動面に取り付けるフィルムアンテナにおいて、
複数周からなるループ状のアンテナが母体の摺動面に沿って摺動領域と非摺動領域とに細分化され、そのアンテナの交差部分が非摺動領域に配置される
ことを特徴とするフィルムアンテナ。
【請求項５】
複数周からなるループ状のアンテナの交差部分の全てが前記非摺動領域に配置される
請求項４に記載のフィルムアンテナ。
【発明の詳細な説明】
【技術分野】
【０００１】
本発明は、例えばガラス面に取り付けるフィルムアンテナに関する。
【背景技術】
【０００２】
特許文献１には、車両のフロントガラスを母体としてそのガラス面にフィルムアンテナを貼り付けて車載機器のアンテナとして用いる技術が開示されている。この技術を用いれば、視界確保の要求を満たすことを前提に、フィルムアンテナをフロントガラスに限らず、ドアガラスに貼り付けることも可能となる。ループアンテナを用いる場合、ループを複数周にすることでコイル成分を調整でき、また、チップコンデンサを実装することで周波数に共振点を設けることができる。
【先行技術文献】
【特許文献】
【０００３】
【特許文献１】特開２００４−８２７４９号公報
【発明の概要】
【発明が解決しようとする課題】
【０００４】
運転席のドアガラスのように上下に可動する母体のガラス面に複数周からなるフィルム状のループアンテナを貼り付けた場合、ループアンテナが少なくとも１箇所で交差するため、ドアガラスの上下動に伴いラバーと擦れて交差部分が早く摩耗する恐れがある。また、フィルムアンテナに背の高いチップ部品を実装すると、ラバーと干渉する恐れがある。
【０００５】
本発明は、このような問題点に着目してなされたものであって、その目的は、厚みのある素子を用いてフィルムアンテナの共振点を調整することが可能なフィルムアンテナを提供することにある。
【課題を解決するための手段】
【０００６】
上記課題を解決するフィルムアンテナは、例えば車両ドアの窓ガラスを母体としてその摺動面であるガラス面に取り付けられ、ループ状のアンテナが母体の摺動面に沿って摺動領域と非摺動領域とに細分化され、非摺動領域には、摺動領域に設定されるアンテナ部品よりも厚みの厚いアンテナ部品が設定されることをその要旨としている。
【０００７】
この構成によれば、チップコンデンサ等のアンテナ部品が非摺動領域に配置されることで、ラバー等との干渉を避けることができる。したがって、厚みのある素子を用いてフィルムアンテナの共振点を調整することができる。
【０００８】
上記フィルムアンテナについて、複数周からなるループ状のアンテナの交差部分が非摺動領域に設定され、その交差部分を規定する一方のアンテナが当該交差部分を跨ぐ位置で分断されてその分断箇所がチップ部品に置き換えられるとともに、他方のアンテナが前記一方のアンテナと同一面で前記チップ部品の下を通されることとしてもよい。
【０００９】
この構成によれば、アンテナの配置が片面で済むことになる。したがって、製造コストを下げることができる。
上記フィルムアンテナについて、チップ部品の全てが前記非摺動領域に配置されることとしてもよい。
【００１０】
この構成によれば、チップ部品のような厚みのある素子の全てを対象にラバー等との干渉を避けることができる。
上記課題を解決するフィルムアンテナは、母体の摺動面に取り付けるフィルムアンテナにおいて、複数周からなるループ状のアンテナが母体の摺動面に沿って摺動領域と非摺動領域とに細分化され、そのアンテナの交差部分が非摺動領域に配置されることをその要旨としている。
【００１１】
この構成によれば、アンテナの交差部分は他の部分に比べ厚みが増すことになるが、その交差部分が非摺動領域に配置されることで、当該部分の摩耗を抑えることができる。したがって、耐久性を向上することができる。
【００１２】
上記フィルムアンテナについて、複数周からなるループ状のアンテナの交差部分の全てが前記非摺動領域に配置されることとしてもよい。
この構成によれば、交差によって厚みの増す部分の全てを対象に摩耗を抑えることができる。
【発明の効果】
【００１３】
本発明によれば、耐久性を向上することができる。
【図面の簡単な説明】
【００１４】
【図１】フィルムアンテナが貼り付けられた窓ガラスの周辺を示す模式図。
【図２】第１の実施の形態のフィルムアンテナの周辺を示す模式図。
【図３】第２の実施の形態のフィルムアンテナの周辺を示す模式図。
【図４】第３の実施の形態のフィルムアンテナの周辺を示す模式図。
【図５】第４の実施の形態のフィルムアンテナの周辺を示す模式図。
【図６】第５の実施の形態のフィルムアンテナの周辺を示す模式図。
【図７】第６の実施の形態のフィルムアンテナの周辺を示す模式図。
【発明を実施するための形態】
【００１５】
以下、フィルムアンテナの実施の形態について説明する。
図１に示すように、車両１の運転席のドア２には、車室内外でラバー３と摺動しながら上下に可動する窓ガラス４が設けられている。車室内側のガラス面５には、ループ状のアンテナを含むフィルムアンテナ６が貼り付けられている。窓ガラス４は母体に相当し、ガラス面５は摺動面に相当する。フィルムアンテナ６は、窓ガラス４が上限位置にある全閉状態において、ラバー３の上方１０センチメートル程度の位置から、ラバー３の下方でドア２の内部に延伸された窓ガラス４の下端付近に至る領域に設けられている。フィルムアンテナ６は、窓ガラス４の全閉状態でラバー３の上方に位置して視認可能となる領域が摺動領域と規定され、窓ガラス４の全閉状態でラバー３の下方に位置して視認できない領域が非摺動領域と規定される。つまり、ラバー３の上方の摺動領域は窓ガラス４の上下動に伴いラバー３と摺動するが、ラバー３の下方の非摺動領域は、窓ガラス４が上限位置から下限位置に向けて下げられる開動作の過程及び反対に窓ガラス４が下限位置から上限位置に向けて上げられる閉動作の過程のいずれにもラバー３と摺動しない。
【００１６】
ドア２の内部には、窓ガラス４の全閉状態でフィルムアンテナ６の非摺動領域に対向するコイルを有する通信機７が設けられている。通信機７によってコイルに電流が流されると磁束が発生し、その磁束がフィルムアンテナ６のループ状のアンテナに結合されることでアンテナに電流が流れる。ここで、通信機７は、例えば１３．５６ＭＨｚを使ったＲＦＩＤ（radio frequency identification）やＮＦＣ（near field communication）の読み取り機である。したがって、窓ガラス４の全閉状態でフィルムアンテナ６の摺動領域に携帯端末８或いはＩＣ（integrated circuit）カードを翳すことで情報の読み取りや書き込みが可能となる。
【００１７】
尚、以下の説明で用いる図２〜図７は、窓ガラス４が全閉状態であるときを示している。
（第１の実施の形態）
図２に示すように、フィルムアンテナ６は、略正方形状のフィルム１１に複数周からなるループ状のアンテナ線１２が配置されている。フィルムアンテナ６は、ガラス面５に沿って上部の摺動領域と下部の非摺動領域とに細分化され、アンテナ線１２の交差部分が非摺動領域に設定されている。その交差部分を規定する上下方向のアンテナ線１２は当該交差部分を跨ぐ位置で分断されてその分断箇所がチップコンデンサ１３で置き換えられている。つまり、分断箇所の上側のアンテナ線１２の端部がチップコンデンサ１３の第１電極に接続されるとともに、分断箇所の下側のアンテナ線１２の端部がチップコンデンサ１３の第２電極に接続されている。交差部分を規定する左右方向のアンテナ線１２は上下方向のアンテナ線１２と同一面でチップコンデンサ１３の下を通されている。アンテナ線１２は摺動領域に設定されたアンテナ部品に相当し、チップコンデンサ１３は非摺動領域に設定されたアンテナ部品に相当する。
【００１８】
次に、フィルムアンテナ６の作用について説明する。
窓ガラス４が上限位置から矢印の方向に開動作されるとき、フィルムアンテナ６の摺動領域はラバー３と摺動するが、フィルムアンテナ６の非摺動領域はラバー３と摺動しない。つまり、非摺動領域に配置されたチップコンデンサ１３はラバー３と摺動しない。
【００１９】
以上説明したように、本実施の形態によれば、以下の効果を奏することができる。
（１）チップコンデンサ１３が非摺動領域に配置されることで、ラバー３との干渉を避けることができる。したがって、厚みのある素子を用いてフィルムアンテナ６の共振点を調整することができる。
【００２０】
（２）アンテナ線１２の交差部分を規定する上下方向のアンテナ線１２を分断してチップコンデンサ１３に接続するとともに、左右方向のアンテナ線１２をチップコンデンサ１３の下に通すことで、アンテナ線１２の配置が片面で済むことになる。したがって、製造コストを下げることができる。
【００２１】
（第２の実施の形態）
図３に示すように、フィルムアンテナ６は、略正方形状のフィルム２１に複数周からなるループ状のアンテナ線２２が配置されている。フィルムアンテナ６は、ガラス面５に沿って上部の摺動領域と下部の非摺動領域とに細分化され、アンテナ線２２の交差部分が非摺動領域に設定されている。その交差部分を規定する上下方向のアンテナ線２２はフィルム２５の一方の面において当該交差部分を跨ぐ位置でアンテナ線２２ａとアンテナ線２２ｂとに分断され、アンテナ線２２ａの終端にはスルーホール２５ａが接続されるとともに、アンテナ線２２ｂの終端にはスルーホール２５ｂが接続されている。スルーホール２５ａとスルーホール２５ｂは共にフィルム２５に埋め込まれている。フィルム２５の他方の面には、スルーホール２５ａとスルーホール２５ｂとを繋ぐアンテナ線２２ｃが設けられている。交差部分を規定する左右方向のアンテナ線２２ｄは、アンテナ線２２ａ及びアンテナ線２２ｂの双方と同一面でスルーホール２５ａとスルーホール２５ｂの間を通されている。
【００２２】
ここで、上記フィルム２５はＰＰ、ＰＥＴ、ポリミド等の数十マイクロメートルの厚さを有するフィルム状のものを想定するが、非摺動領域だけは部分的に１ミリメートル程度の厚みを持つガラスエポキシマルチ（ＦＲ−４）等の基板を用いてもよく、摺動領域と非摺動領域のフィルム２５が同一素材でなくてもよい。
【００２３】
アンテナ線２２は、フィルムアンテナ６の非摺動領域において上記交差部分を跨ぐ位置とは別の箇所でも分断されてその分断箇所がチップコンデンサ２３で置き換えられている。つまり、分断箇所の左側のアンテナ線２２の端部がチップコンデンサ２３の第１電極に接続されるとともに、分断箇所の右側のアンテナ線２２の端部がチップコンデンサ２３の第２電極に接続されている。アンテナ線２２は摺動領域に設定されたアンテナ部品に相当し、チップコンデンサ２３は非摺動領域に設定されたアンテナ部品に相当する。
【００２４】
次に、フィルムアンテナ６の作用について説明する。
窓ガラス４が上限位置から矢印の方向に開動作されるとき、フィルムアンテナ６の摺動領域はラバー３と摺動するが、フィルムアンテナ６の非摺動領域はラバー３と摺動しない。つまり、非摺動領域に配置されたチップコンデンサ２３とアンテナ線２２の交差部分は共にラバー３と摺動しない。
【００２５】
以上説明したように、本実施の形態によれば、以下の効果を奏することができる。
（３）チップコンデンサ２３やアンテナ線２２の交差部分といった厚みの増す部分が非摺動領域に配置されることで、ラバー３との干渉を避けることができる。したがって、耐久性を向上することができる。
【００２６】
（第３の実施の形態）
図４に示すように、フィルムアンテナ６は、略正方形状のフィルム３１に複数周からなるループ状のアンテナ線３２が配置されている。フィルムアンテナ６は、ガラス面５に沿って上部の摺動領域と下部の非摺動領域とに細分化され、アンテナ線３２の交差部分が非摺動領域に配置されている。
【００２７】
次に、フィルムアンテナ６の作用について説明する。
窓ガラス４が上限位置から矢印の方向に開動作されるとき、フィルムアンテナ６の摺動領域はラバー３と摺動するが、フィルムアンテナ６の非摺動領域はラバー３と摺動しない。つまり、非摺動領域に配置されたアンテナ線３２の交差部分はラバー３と摺動しない。
【００２８】
以上説明したように、本実施の形態によれば、以下の効果を奏することができる。
（４）アンテナ線３２の交差部分は他の部分に比べ厚みが増すことになるが、その交差部分が非摺動領域に配置されることで、当該部分の摩耗を抑えることができる。したがって、耐久性を向上することができる。
【００２９】
（第４の実施の形態）
図５に示すように、フィルムアンテナ６は、略正方形状のフィルム４１に複数周からなるループ状のアンテナ線４２が配置されている。フィルムアンテナ６は、ガラス面５に沿って上部の摺動領域と下部の非摺動領域とに細分化され、アンテナ線４２の第１のループ部４２ａが摺動領域に配置されるとともに、アンテナ線４２の第２のループ部４２ｂが非摺動領域に配置されている。そして、アンテナ線４２の２つの交差部分が共に非摺動領域に配置されている。また、２つのチップコンデンサ４３、４４が共に非摺動領域に配置されている。アンテナ線４２は摺動領域に設定されたアンテナ部品に相当し、チップコンデンサ４３、４４は共に非摺動領域に設定されたアンテナ部品に相当する。
【００３０】
次に、フィルムアンテナ６の作用について説明する。
窓ガラス４が上限位置から矢印の方向に開動作されるとき、フィルムアンテナ６の摺動領域はラバー３と摺動するが、フィルムアンテナ６の非摺動領域はラバー３と摺動しない。つまり、非摺動領域に配置された２つのチップコンデンサ４３、４４とアンテナ線４２の２つの交差部分はいずれもラバー３と摺動しない。
【００３１】
以上説明したように、本実施の形態によれば、以下の効果を奏することができる。
（５）チップコンデンサ４３、４４のようなチップ部品の全てが非摺動領域に配置される。したがって、厚みのある素子の全てを対象にラバー３との干渉を避けることができる。
【００３２】
（６）アンテナ線４２の交差部分の全てが非摺動領域に配置される。したがって、交差によって厚みの増す部分の全てを対象に摩耗を抑えることができる。
尚、上記第４の実施の形態は、次のように変更して具体化することも可能である。
【００３３】
・上記第１の実施の形態に倣い、チップコンデンサ４３やチップコンデンサ４４を第２のループ部４２ｂの交差部分に配置してもよい。
（第５の実施の形態）
図６に示すように、フィルムアンテナ６は、略正方形状のフィルム５１に複数周からなるループ状のアンテナ線５２が配置されている。フィルムアンテナ６は、ガラス面５に沿って上部の摺動領域と下部の非摺動領域とに細分化され、アンテナ線５２の第１のループ部５２ａが摺動領域に配置されるとともに、アンテナ線５２の第２のループ部５２ｂが非摺動領域に配置されている。そして、アンテナ線５２の２つの交差部分が共に非摺動領域に配置されている。
【００３４】
次に、フィルムアンテナ６の作用について説明する。
窓ガラス４が上限位置から矢印の方向に開動作されるとき、フィルムアンテナ６の摺動領域はラバー３と摺動するが、フィルムアンテナ６の非摺動領域はラバー３と摺動しない。つまり、アンテナ線５２において、非摺動領域に配置された２つの交差部分は共にラバー３と摺動しない。
【００３５】
以上説明したように、本実施の形態によれば、以下の効果を奏することができる。
（７）アンテナ線５２の交差部分の全てが非摺動領域に配置される。したがって、交差によって厚みの増す部分の全てを対象に摩耗を抑えることができる。
【００３６】
（第６の実施の形態）
図７に示すように、フィルムアンテナ６は、略正方形状のフィルム６１に複数周からなるループ状のアンテナ線６２が配置されている。フィルムアンテナ６は、ガラス面５に沿って上部の摺動領域と下部の非摺動領域とに細分化され、アンテナ線６２の第１のループ部６２ａが摺動領域に配置されるとともに、アンテナ線６２の第２のループ部６２ｂが非摺動領域に配置されている。そして、第１のループ部６２ａの交差部分が摺動領域に配置されるとともに、第２のループ部６２ｂの交差部分が非摺動領域に配置されている。また、２つのチップコンデンサ６３、６４が共に非摺動領域に配置されている。アンテナ線６２は摺動領域に設定されたアンテナ部品に相当し、チップコンデンサ６３、６４は共に非摺動領域に設定されたアンテナ部品に相当する。
【００３７】
次に、フィルムアンテナ６の作用について説明する。
窓ガラス４が上限位置から矢印の方向に開動作されるとき、フィルムアンテナ６の摺動領域はラバー３と摺動するが、フィルムアンテナ６の非摺動領域はラバー３と摺動しない。つまり、非摺動領域に配置された２つのチップコンデンサ６３、６４と第２のループ部６２ｂの交差部分はいずれもラバー３と摺動しない。
【００３８】
以上説明したように、本実施の形態によれば、以下の効果を奏することができる。
（８）チップコンデンサ６３、６４のようなチップ部品の全てが非摺動領域に配置される。したがって、厚みのある素子の全てを対象にラバー３との干渉を避けることができる。
【００３９】
尚、上記第６の実施の形態は、次のように変更して具体化することも可能である。
・上記第１の実施の形態に倣い、チップコンデンサ６３、６４の一方を第２のループ部６２ｂの交差部分に配置してもよい。
【００４０】
尚、上記各実施の形態に共通して、次のように変更して具体化することも可能である。
・上下に可動する窓ガラス４に代えて、左右に可動する自動ドアのガラスを母体として摺動面にフィルムアンテナ６が取り付けられてもよい。
【符号の説明】
【００４１】
１…車両、２…ドア、３…ラバー、４…窓ガラス（母体）、５…ガラス面（摺動面）、６…フィルムアンテナ、７…通信機、８…携帯端末、１１…フィルム、１２…アンテナ線（ループ状のアンテナ、アンテナ部品）、１３…チップコンデンサ（アンテナ部品、チップ部品）、２１…フィルム、２２…アンテナ線（ループ状のアンテナ、アンテナ部品）、２２ａ…アンテナ線、２２ｂ…アンテナ線、２２ｃ…アンテナ線、２２ｄ…アンテナ線、２３…チップコンデンサ（アンテナ部品）、２５…フィルム、２５ａ…スルーホール、２５ｂ…スルーホール、３１…フィルム、３２…アンテナ線（ループ状のアンテナ）、４１…フィルム、４２…アンテナ線（ループ状のアンテナ、アンテナ部品）、４２ａ…第１のループ部、４２ｂ…第２のループ部、４３…チップコンデンサ（アンテナ部品）、４４…チップコンデンサ（アンテナ部品）、５１…フィルム、５２…アンテナ線（ループ状のアンテナ）、５２ａ…第１のループ部、５２ｂ…第２のループ部、６１…フィルム、６２…アンテナ線（ループ状のアンテナ、アンテナ部品）、６２ａ…第１のループ部、６２ｂ…第２のループ部、６３…チップコンデンサ（アンテナ部品）、６４…チップコンデンサ（アンテナ部品）。
【図１】
2015177236.tif 000003
【図２】
2015177236.tif 000004
【図３】
2015177236.tif 000005
【図４】
2015177236.tif 000006
【図５】
2015177236.tif 000007
【図６】
2015177236.tif 000008
【図７】
2015177236.tif 000009